(57)【特許請求の範囲】
【請求項１】
クッション性を有する座本体を備えた座部と、座部の少なくとも前端部側を支持する座受と、座受の後端部側において座受が有する左右一対の座フレームに対して後上方に延びて傾斜する面板状の部材から構成される後部座受と、座部の後端部側を後部座受に沿って後方へ迫り上がらせるように座部を前後移動させる移動機構とを具備するとともに、座本体の裏面側を、少なくともその前端部側から中央部までの範囲に取り付けた硬質の座板及び後端部側に取り付けた可撓変形可能な後部座板とによって保持させて、後部座板を滑らかに湾曲させることによって、座本体の後端部を後部座板を介して後部座受にすりながら迫り上がらせるように構成し、
後部座板と座受及び後部座受とに関係付けて、座部が前後移動する際に、後部座板が座受及び後部座受から浮き上がることを抑制する浮上抑制部を形成していることを特徴とすることを特徴とする椅子。
【請求項２】
後部座板に座部の移動方向と略直交する方向に延びる溝部を前後に並列的に複数形成していることを特徴とする請求項１記載の椅子。
【請求項３】
溝部が、後部座板を部分的に窪ませるように刻み設けたものであることを特徴とする請求項２記載の椅子。
【請求項４】
後部座板に前後方向に延びる長孔を形成するとともに、座受及び後部座受に前記長孔の開口幅よりも大きい頭部及び長孔に挿入される軸部を具備するピンを取り付け、これら長孔及びピンによって前記浮上抑制部を構成していることを特徴とする請求項１、２又は３記載の椅子。
【発明の詳細な説明】
【０００１】
【発明の属する技術分野】
本発明は、座部を前後移動することができる椅子に関するものである。
【０００２】
【従来の技術】
従来より、着座者の体格や着座姿勢に応じて着座面の奥行き寸法を調節するために、座部をその後端部が迫り上がるように前後移動し得るように構成した椅子が知られている。このような椅子の座部においては、クッション性を有する座本体の裏面側の略全体を樹脂製等の比較的硬質のシェルで覆っているのが通例である。
【０００３】
【発明が解決しようとする課題】
ところが、このような構成のものであると、後方に迫り上がる座本体の後端部があまり大きくは撓まない硬質のシェルで覆われているために滑らかに湾曲せず、座本体の上面における略水平な前端部側と迫り上がる後端部側の境目に凹凸の皺が生じることになり、本来ある程度の柔らかさがあるはずの座本体が前記皺部分で硬くなって、着座者の臀部に違和感が感じられ座り心地が悪くなるという不具合が生じていた。
【０００４】
このような不具合を解消するために、座本体の迫り上がる後端部も含めて裏面の略全体を可撓性を有するシェルで覆い、座本体に硬い凹凸形状の皺が生じないようにしたものが考えられている。しかしながらこのようなものでは、着座者の大腿部を支持する部位においてもシェルが座受に沿って可撓変形するため、シェル及びクッションを通じて着座者の大腿部には金属製フレーム等からなる座受の硬さが感じられ、必ずしも座り心地が良いものとはいえない。
【０００５】
本発明は、以上のような不具合に鑑みて、座部のいずれの部位においても座り心地が良好な椅子を提供するものである。
【０００６】
【課題を解決するための手段】
すなわち、本発明の椅子は、クッション性を有する座本体を備えた座部と、座部の少なくとも前端部側を支持する座受と、座受の後端部側において座受が有する左右一対の座フレームに対して後上方に延びて傾斜する面板状の部材から構成される後部座受と、座部の後端部側を後部座受に沿って後方へ迫り上がらせるように座部を前後移動させる移動機構とを具備するとともに、座本体の裏面側を、少なくともその前端部側から中央部までの範囲に取り付けた硬質の座板及び後端部側に取り付けた可撓変形可能な後部座板とによって保持させて、後部座板を滑らかに湾曲させることによって、座本体の後端部を後部座板を介して後部座受にすりながら迫り上がらせるように構成している。なお、座受と後部座受とは、別個の部材としてそれぞれ対応する座本体の部位を保持させてもよいが、一体の部材として座本体を保持するものとすることもできる。
【０００７】
このような構成の椅子であれば、座部の後端部において後部座受に沿って迫り上がる後部座板がその傾斜角度に対応して滑らかに湾曲するので、それに伴って後部座板に支持された座本体の後端部も該後部座板に追従して滑らかに湾曲して迫り上がることになる。その結果、クッション性のある座本体の後端部には、凹凸の皺が生じて硬くなることがなく、着座者が臀部に違和感を感じることがない。また、座本体の裏面側における前端部から中央部までの範囲、場合によっては後部座板の手前までの範囲には、硬質の座板を取り付けているため、座本体を通じて座受の硬さが大腿部に感じられることがないので、その部位でも快適な座り心地が得られることになる。さらに、この椅子では移動機構を通じて座部を前後移動することによって、着座者の臀部から大腿部までを有効に支持することができる座本体の着座面の奥行き寸法を着座者の体格に応じて変更することができるので、座部の前後位置をどのように調節した場合でも、上述のように良好な座り心地が得られることになる。
【０００８】
特に、後部座板の滑らかな湾曲を容易に実現するためには、後部座板に座部の移動方向と略直交する方向に延びる溝部を前後に並列的に複数形成することが望ましい。
【０００９】
このような溝部を簡単に形成するためには、後部座板を部分的に窪ませるように刻みを設けて溝部を形成することが有効である。
【００１０】
座部を前後移動する際に、座部が座受や後部座受から浮き上がって座り心地が悪くならないようにするために本発明は、後部座板と座受及び後部座受とに関係付けて、後部座板が座受及び後部座受から浮き上がることを抑制する浮上抑制部を形成することを特徴としている。
【００１１】
この場合、簡素な構成で有効な浮上抑制部としては、後部座板に前後方向に延びる長孔を形成するとともに、座受及び後部座受に前記長孔の開口幅よりも大きい頭部及び長孔に挿入される軸部を具備するピンを取り付け、これら長孔及びピンによって前記浮上抑制部を構成したものが挙げられる。
【００１２】
【発明の実施の形態】
以下、本発明の一実施形態を、図面を参照して説明する。
【００１３】
この実施形態の椅子は、図１に示すように、座部１と、背もたれ部５と、座部１を支持する座受２と、背もたれ部５を支持する背支桿６と、座受２及び背支桿６を支持し床面に接地する脚部７とを備えている。そして、着座者の体格に応じてその臀部から大腿部までの範囲を有効に支持し得る着座面Ａの奥行き寸法を調節し得るようにするために、座部１と座受２とに関係付けて、座部１を前後にスライド移動させる移動機構たるスライド機構Ｘを設けている。また、脚部７の上端部には、くの字形に屈曲するランバーサポート８を前後回転可能に取り付けている。このランバーサポート８は、着座者の腰を支持するためのもので、背もたれ部５の張り地５１の下端部５１ｂを後方から支持している。この張り地５１の上端部５１ａは背支桿６の上端部に取り付けている。
【００１４】
座受２は、図２〜図５に示すように、前端部を脚部７に支持させるとともに後端部を背支桿６に支持させて前後方向に向けて略水平に延びる左右一対の座フレーム２１と、両座フレーム２１同士を連結する連結部材２２とを具備している。座フレーム２１は、上壁２１１、外側壁２１２及び内側壁２１３を有し下向きに開口する断面視コ字型のチャネル材であり、連結部材２２は、前壁２２１、後壁２２２及び底壁２２３を有し船形をなすものであって、座フレーム２１の内側壁２１３に連結部材２２の各壁の外向面を溶接などにより連結して、座フレーム２１の補強を図っている。また、座フレーム２１の後端部間には、後上方に延びて傾斜する面板状の部材から構成される後部座受３の下端部を蝶番３１を介して回転可能に取り付けている。この後部座受３の上端部３ｂには下方に向けて板状のブラケット３２を取り付けており、このブラケット３２に形成した左右に貫通する孔部３２１に、前記ランバーフレームの屈曲部位に設けたピン８ａを移動可能に挿入することによって、後部座受３とランバーサポート８とを接続している。
【００１５】
一方、座部１は、図２〜図５に示すように、クッション性を有する座本体１１と、座本体１１の前端部１１ａから中央部やや後方寄りの位置までを支持するように座本体１１の裏面側に取り付けた硬質の座板１２と、座本体１１の後端部１１ｂを支持する後部座板１３とを備えている。そして、座本体１１の上向面において、着座者の臀部から大腿部までの範囲を実質的に支持し得る領域を着座面Ａとして設定している。なお、座本体１１には図示しないカバー材で周囲を覆っている。
【００１６】
座板１２は、座本体１１の裏面側だけでなく側部も保持するように側端部１２ｃを上方に湾曲させるとともに、前端部１２ａを着座者の脚に沿うように下方に緩く湾曲させた板状のものである。この座板１２の前端部１２ａにおける一側端部１２ｃに沿った裏面には、正面視Ｌ字状をなすブラケット１２１の上壁１２１ａを下方からネジ止めして取り付けており、ブラケット１２１の側壁１２１ｂには前後方向に延びる長孔１２１ｃを厚み方向に貫通させて形成している。この長孔１２１ｃには、座フレーム２１の内側壁２１３に取り付けたピン２３を挿入しており、長孔１２１ｃが座板１２と共にピン２３に沿って前後移動し得る範囲内で座部１が座受２に対してスライド移動するように座部１の可動範囲を規定している。
【００１７】
後部座板１３は、可撓変形可能な薄肉の樹脂板からなり前記後部座受３に面で支持されるもので、前端部１３ａを座板１２の後端部１２ｂに取り付けて座本体１１の後端部１１ｂ側の略全体を下方から保持している。この後部座板１３は、裏面側に幅方向すなわち座部１のスライド移動方向と直交する方向に延びる溝部１３１を前後に所定間隔で複数形成している。この溝部１３１は、下方に向けて側面視略三角形状に開口するように後部座板１３の裏面に刻み付けて形成したものである。また、この複数の溝部１３１を横切るように後部座板１３の厚みを貫通して前後方向に延びる左右一対の長孔１３２を設けている。これら長孔１３２は、それぞれ座フレーム２１の略真上に位置づけられるように形成されている。なお、後部座板１３は上述のように後部座受３に面で支持されているため、比較的薄肉の樹脂素材を採用しても、ある程度の支持強度が維持されている。
【００１８】
後部座板１３と座受２及び後部座受３との間には、図６に拡大して示すように、座部１のスライド移動に際して後部座板１３の浮き上がりを防止し得る浮上抑制部Ｚを形成している。具体的にこの浮上抑制部Ｚは、後部座板１３に形成した前記長孔１３２と、この長孔１３２に挿入するように座フレーム２１の後端部及び後部座受３の下端部３ａにそれぞれ取り付けたピンＰとから構成される。このピンＰは、長孔１３２の左右における開口幅よりも大きい径を有する頭部Ｐａと、長孔１３２に挿入される軸部Ｐｂとを有するものである。そして、座部１を座受２及び後部座受３に取り付けるに際して、ピンＰの軸部Ｐｂを長孔１３２に挿入するとともに、頭部Ｐａを長孔１３２の表面側に表出させて、頭部Ｐａの下面で後部座板１３を下方に押さえ付けるようにしている。
【００１９】
一方、スライド機構Ｘは、図２〜図５に示すように、座受２に取り付けた一対のラックギアＲＧと、このラックギアＲＧと噛み合うように座部１に取り付けた一対のピニオンギアＰＧとから構成される。ラックギアＲＧは、それぞれ上向面に前後に平行して並べた複数の歯を有する細長い板状をなすもので、連結部材２２の底壁２２３の上面における側端部に固定している。ピニオンギアＰＧは周壁に前記ラックギアＲＧと等ピッチで歯を形成した円盤状をなすもので、正面視Ｌ字状をなすブラケット１４の側壁１４２に水平支軸ａを介して回転可能に取り付けている。このブラケット１４の上壁１４１は、下方から座板１２にネジ止めしている。また、水平支軸ａは、左右のピニオンギアＰＧに共通のものであって、両ピニオンギアＰＧの動作の同期を図っている。さらに、このスライド機構Ｘにおいては、ピニオンギアＰＧがラックギアＲＧに沿って回転しながら前後移動した任意の位置でピニオンギアＰＧの回転を禁止して座部１のスライド移動を規制する規制手段Ｙを備えている。この規制手段Ｙは、座板１２の前端部１２ａにおける下方に配置した操作レバー４を上下に回転させるように操作することによって上下動し、ピニオンギアＰＧと選択的に離接して噛み合うストッパギアＳＧを有している。すなわち、操作レバー４とストッパギアＳＧは、操作レバー４の回転動作をストッパギアＳＧの上下動作に変換する接続部４１を介して接続されており、操作レバー４の操作によって、座部１をスライド移動可能な状態と移動を規制された状態とに選択的に切り替えることができるように構成している。
【００２０】
しかして、操作レバー４を操作を通じてストッパギアＳＧを上動させ、ピニオンギアＰＧが回転可能な状態にした上で、このピニオンギアＰＧをラックギアＲＧに沿って回転させながら座部１を前後移動させると、後部座板１３における撓みの位置が変化することになる。そのとき、湾曲の度合いが大きい部位においては溝部１３１の前後方向への開き具合が大きくなり、またその他の部位においても湾曲度合いに応じた大きさに溝部１３１が開き又は閉じることとなるため、後部座板１３全体が滑らかに湾曲する。その結果として、後部座板１３に保持された座本体１１の後端部１１ｂも後部座板１３に追従して、上面側における後方への迫り上がりの基端部に凹凸形状の皺が生じることなく滑らかに連続的に湾曲する。また、座部１のスライド移動の際には、後部座板１３の長孔１３２が座受２及び後部座受３のピンＰに沿って前後移動することになるが、後部座板１３はピンの頭部Ｐａによって下方に押さえられているために浮き上がりを生じることがなく、その結果、座本体１１の座受２及び後部座受３からの浮き上がりが防止されることになる。なお、座本体１１の上面における滑らかさは、操作レバー４を操作してストッパギアＳＧとピニオンギアＰＧとを噛み合わせ、着座面Ａの奥行き寸法を着座者の体格に対応させて座部１の移動を規制した状態においても維持される。
【００２１】
また、本実施形態の椅子では、スライド機構Ｘを通じて着座面Ａの奥行き寸法を適宜に調節した位置で、ランバーサポート８を脚部７に支持された下端部を中心に前後に回転させて、着座者の腰を前方に押し出すような姿勢に背もたれ部５の張り地５１の下端部５１ｂを前方へ押し出すことができるようにしている。すなわち、ランバーサポート８を前方に回転させた際には、このランバーサポート８に設けたピン８ａが後部座受３のブラケット３２に形成した孔部３２１内を上方へ移動することになる。そのときランバーサポート８は後部座受３を下方から前上方へ押し上げることになるが、後部座受３は下端部３ａの蝶番３１を中心にして前方へ回転する。この場合にも、後部座板１３は、溝部１３１の開口幅を広げながら滑らかに湾曲の度合いを強めるため、それに追従する座本体１１の後方への傾斜角度が大きくなっても迫り上がりの基端部も凹凸形状の皺を生じることなく滑らかに湾曲して、着座者には快適な座り心地を与えることができる。
【００２２】
以上のように、本字実施形態の椅子によれば、着座者の体格や姿勢に応じて座本体１１の着座面Ａの奥行き寸法を調節するために設けたスライド機構Ｘによって座部１を前後にスライド移動させても、後部座受３に沿って迫り上がり座本体１１の後端部１１ｂを保持している後部座受３が溝部１３１の開口幅を後部座受３の傾斜に対応しながら連続的に滑らかに湾曲するため、座本体１１の後端部１１ｂも凹凸形状の皺を生じることなく滑らかに湾曲して後部座受３にすりながら迫り上がるため、着座者に違和感を与えることなく快適な座り心地を提供することができる。また、座本体１１の前端部１１ａ側は硬質の座板１２によって保持されているため、座受２を構成する座フレーム２１の硬さが着座者の大腿部に直接感じられることがないので、上述のように座本体１１の後端部１１ｂだけでなく全体を通じて着座者は良好な座り心地を得ることが可能である。
【００２３】
特に溝部１３１は、樹脂製の後部座板１３の裏面側に刻み付けて形成したものであるため、滑らかに湾曲し得る後部座板１３を容易に形成することができる上に、裏面側に溝部１３１を形成したためクッション性を有する座本体１１を保持する部位も滑らかにすることができる。
【００２４】
また、後部座板１３に長孔１３２を形成するとともに、座フレーム２１及び後部座受３にそれぞれピンＰを設け、座部１のスライド移動の際にピンＰの頭部Ｐａで後部座板１３が下方に押さえられながら長孔１３２がピンの軸部Ｐｂに沿って前後移動するように構成した浮上抑制部Ｚを形成しているので、座部１をいかなる位置に移動させても後部座板１３及び座本体１１の後端部が座受２及び後部座受３から浮上することがなく、着座時の安定性を向上することができる。
【００２５】
なお、本発明は上記実施形態に限られるものではなく、例えば後部座板の溝部を、厚肉部分と薄肉部分とを前後方向に隣接させて交互に連続させてジャバラ状に形成したり、浮上抑制部を、後部座板を側方から挟み込むような鈎爪状の突起を座受及び後部座受に設けるようにしても、上記実施形態と同様の効果が得られる。また、後部座板は座本体の後端部を十分に保持し得る程度の強度を有するものであれば、特に溝部を形成しなくても単に平滑な面板状の部材で滑らかに湾曲するものを採用しても構わない。さらに溝部を形成する場合には、後部座板の裏面に限らず表面側に形成することもできる。その他、移動機構として前記スライド機構以外の構成のものを採用するなど各部の具体的構成についても上記実施形態に限られるものではなく、本発明の趣旨を逸脱しない範囲で種々変形が可能である。
【００２６】
【発明の効果】
本発明は、以上説明したような形態で実施され、以下に記載されるような効果を奏する。
【００２７】
すなわち、本発明の椅子は、クッション性を有する座本体を備えた座部の前端部側を座受に支持させるとともに、座部を前後移動させる移動機構によって座受の後端部側を座受に対して後斜め上方に延びるように設けた後部座受に沿って後方へ迫り上がらせるように構成し、さらに座本体の裏面側に少なくともその前端部側から中央部までの範囲に硬質の座板を取り付け、後端部側に可撓変形可能な後部座板を取り付けて、後部座板を滑らかに湾曲させることによって、その後部座板を介して座本体の後端部を後部座受にすりながら迫り上がらせるように構成している。
【００２８】
このため、移動機構によって前後移動させた座部のいかなる位置においても、後部座板が後部座受に沿って滑らかに湾曲して迫り上った状態となるため、座本体の後端部も凹凸形状の皺が生じずに滑らかに湾曲して迫り上がる。また、座本体の前端部側は硬質の座板によって保持されているため、座受の硬さが直接に大腿部に感じられることもない。したがって、着座者は臀部及び大腿部に違和感を感じることなく、快適に着座することができる。
【００２９】
このようなものにおいて、後部座板に座部の移動方向と略直交する方向に延びる溝部を前後に並列的に複数形成すると、溝部の前後方向への開き具合が後部座板の湾曲度合いに対応するので、後部座板全体が滑らかに湾曲して撓み、その結果、座本体も皺を生じずに滑らかに湾曲させることが可能である。
【００３０】
特に、溝部を、後部座板を部分的に窪ませるように刻み付けて設けると、上述のような効果を奏する溝部を簡単に形成することができる。
【００３１】
また、後部座板と座受及び後部座受とに関係付けて設けた浮上抑制部によって、後部座板が座受及び後部座受から浮き上がらないようにすれば、座部を前後移動させても、座部の後端部が座受や後部座受に安定的に支持されるため、座り心地を良好に維持することが可能である。
【００３２】
このような浮上抑制部を、後部座板に形成した前後方向に延びる長孔と、この座受及び後部座受に取り付けた前記長孔の開口幅よりも大きい頭部及び長孔に挿入される軸部を具備するピンとから構成すれば、上述のような浮上抑制部による効果を極めて簡素な構成で実現することができる。
【図面の簡単な説明】
【図１】本発明の一実施形態を示す側面図。
【図２】同実施形態の座部を一部省略して示す平面図。
【図３】同座板及び後部座板を後下方から見た状態を示す斜視図。
【図４】図２におけるＩＶ−ＩＶ線断面図。
【図５】同Ｖ−Ｖ線断面図。
【図６】同ＶＩ−ＶＩ線断面図。
【符号の説明】
１…座部
２…座受
３…後部座受
１１…座本体
１２…座板
１３…後部座板
１３１…溝部
１３２…長孔
Ｐ…ピン
Ｐａ…頭部
Ｐｂ…軸部
Ｘ…移動機構（スライド機構）
Ｚ…浮上抑制部
【図１】
0004804619.tif 000002
【図２】
0004804619.tif 000003
【図３】
0004804619.tif 000004
【図４】
0004804619.tif 000005
【図５】
0004804619.tif 000006
【図６】
0004804619.tif 000007